(57)【要約】【課題】電源部の放熱性を向上できる照明装置を提供する。【解決手段】照明装置10は、本体ユニット11および電源部13を備える。本体ユニット11は、光源41が配置される本体25、本体25の上面に取り付けられ本体25の側方に突出する天板23、およびこの天板23に取り付けられるカバー24を有する。電源部13は、電源基板57、および電源基板57に実装される複数の電源部品58を有し、天板23とカバー24との間に収容され、天板23とカバー24のうちの天板23側に取り付けられる。【選択図】図１
2020167125.tif 000002
【特許請求の範囲】
【請求項１】
光源が配置される本体、この本体の上面に取り付けられ前記本体の側方に突出する天板、およびこの天板に取り付けられるカバーを有する本体ユニットと；
電源基板、およびこの電源基板に実装される複数の電源部品を有し、前記天板と前記カバーとの間に収容され、前記天板と前記カバーのうちの前記天板側に取り付けられた電源部と；
を具備することを特徴とする照明装置。
【請求項２】
前記電源基板は、一面に前記電源部品のうちの前記電源基板からの突出高さが高い大形部品が実装されており、一面が前記カバーに対向するとともに他面が前記天板に対向して前記天板側に取り付けられている
ことを特徴とする請求項１記載の照明装置。
【発明の詳細な説明】
【技術分野】
【０００１】
本発明の実施形態は、天板に電源部を取り付けた照明装置に関する。
【背景技術】
【０００２】
従来、例えば天井などに埋込設置されるダウンライトなどの照明装置では、光源が配置される本体の上面に天板が取り付けられ、本体の側方に突出する天板に電源ユニットを取り付けている。電源ユニットは、電源基板およびこの電源基板に実装された複数の電源部品を有する電源部をケース内に収納し、電源基板をケースに取り付けている。そして、電源ユニットは、ケースによって天板に取り付けている。
【０００３】
このような照明装置では、電源部が発生する熱を効率よく放熱できるように、放熱性の向上が望まれている。
【先行技術文献】
【特許文献】
【０００４】
【特許文献１】特開２０１８−１９５３９０号公報
【発明の概要】
【発明が解決しようとする課題】
【０００５】
本発明は、電源部の放熱性を向上できる照明装置を提供することである。
【課題を解決するための手段】
【０００６】
実施形態の照明装置は、本体ユニットおよび電源部を備える。本体ユニットは、光源が配置される本体、本体の上面に取り付けられ本体の側方に突出する天板、およびこの天板に取り付けられるカバーを有する。電源部は、電源基板、および電源基板に実装される複数の電源部品を有し、天板とカバーとの間に収容され、天板とカバーのうちの天板側に取り付けられる。
【発明の効果】
【０００７】
実施形態の照明装置によれば、電源部の放熱性が向上することが期待できる。
【図面の簡単な説明】
【０００８】
【図１】一実施形態を示す照明装置の本体ユニットに光源ユニットを装着する前の状態の斜視図である。
【図２】同上照明装置の本体ユニットに光源ユニットを装着した状態の斜視図である。
【図３】同上照明装置のコード押えばねによってコードを本体の上部側に付勢した状態の断面図である。
【図４】同上照明装置のコード押えばねの付勢に抗してコードを本体の下方へ引き出す状態の断面図である。
【発明を実施するための形態】
【０００９】
以下、一実施形態を、図面を参照して説明する。
【００１０】
図１および図２に示すように、照明装置10は、例えば天井部材（天井板）に形成された円形の埋込孔に埋め込み設置されるダウンライトである。
【００１１】
照明装置10は、天井部材に設置される本体ユニット11、この本体ユニット11に着脱可能に取り付けられる光源ユニット12、この光源ユニット12に電源を供給する電源部13、および端子台14を備えている。
【００１２】
そして、本体ユニット11は、化粧枠としての枠体20、この枠体20の上側に取り付けられたホルダ21、枠体20の周囲に取り付けられた複数の取付ばね22、ホルダ21の上面に取り付けられた天板23、およびこの天板23の下面に取り付けられたカバー24を備えている。そして、枠体20およびホルダ21によって下面側が開口する筐体である本体25が構成され、この本体25の上面に天板23が取り付けられている。本体25は、上下方向に沿った仮想の中心軸ｚを有している。
【００１３】
枠体20は、中心軸ｚを中心として、上下方向に開口する円筒状に形成されている。枠体20の下端には、外側方に突出する環状のフランジ部26が形成されている。枠体20の外側には、取付ばね22をそれぞれ取り付けるための複数の取付ばね取付部27と、ホルダ21を取り付けるための複数のホルダ取付部28とがそれぞれ形成されている。
【００１４】
また、ホルダ21は、枠体20の筒部の上端に対向配置される環状部30、この環状部30から上方に突設された複数の支え部31、およびこれら支え部31に上端に設けられた天面部である覆い部32を備えている。
【００１５】
環状部30の下端外側には、それぞれホルダ取付部28にねじ33で取り付けられる複数の脚部34が突設されている。環状部30の上縁には、光源ユニット12を着脱可能に係止するための一対の係止部35が設けられている。これら係止部35は、環状部30の上縁からホルダ21（環状部30）の中心へ向けてホルダ21（環状部30）の内側に突出する係止爪によって構成されている。
【００１６】
支え部31には、電源部13の配設側に開口部36が形成されているとともに、周面に複数の通気溝37が上下方向に沿って形成されている。電源部13の配設側とは反対側に位置する支え部31の上部側には傾斜面38が形成されている。
【００１７】
覆い部32は、ホルダ21の上面を覆うように配設されている。
【００１８】
また、取付ばね22は、板ばねによって構成されており、基端側が枠体20の取付ばね取付部27に取り付けられ、先端側が枠体20の外側方に展開するように構成されている。そして、取付ばね22は、枠体20の側面に沿うように弾性変形させた状態で枠体20とともに天井部材の埋込孔に挿入でき、さらに、ばね力によって天井部材の上方で側方に展開することにより、天井部材の上面側に当接して枠体20を上方に引き上げ、枠体20のフランジ部26が天井部材の下面に当接する状態で、照明装置10の全体を天井部材に支持するように構成されている。
【００１９】
また、天板23は、金属板によって、天板部23aおよびこの天板部23aの両側から下方に折曲された側板部23bを有する断面略コ字形に形成されている。天板23の一端がホルダ21の覆い部32の上面側に配置されて複数のねじ39で固定され、天板部23の他端側が本体25の側方に突出されている。
【００２０】
また、カバー24は、金属板によって、上面側を開口した箱状に形成されている。カバー24は、天板23の下面に取り付けられ、天板23との間に電源部13を収容する収容部40が形成されている。
【００２１】
次に、光源ユニット12は、本体ユニット11の下面側から挿入した後、所定の装着方向に所定角度回動させることにより、本体ユニット11に装着され、また、本体ユニット11に装着状態で、押し上げながら所定の取外し方向（装着方向と反対方向）に所定角度回動させた後、本体ユニット11の下面側から抜き外せるように構成されている。
【００２２】
光源ユニット12は、光源41、この光源41を下面側に配設する放熱体42、この放熱体42の下面側に配設される透光カバー43、および放熱体42の上部側に配設される光源側コネクタ44などを備えている。
【００２３】
光源41は、発光モジュールによって構成されている。発光モジュールは、基板、この基板に実装された複数の発光素子（半導体発光素子）を備えている。発光素子には、例えば、面実装タイプのＬＥＤが用いられている。なお、発光モジュールには、基板に実装された複数のＬＥＤチップを蛍光体層で封止したＣＯＢモジュールを用いてもよく、あるいは、ＬＥＤに限らず、有機ＥＬ等の他の発光素子を用いてもよい。
【００２４】
また、放熱体42は、例えばアルミニウム等の金属材料で、略円筒状に一体に形成されている。放熱体42の下面に光源41が熱伝導可能に配設されている。
【００２５】
放熱体42の上部側に放熱部46が設けられている。放熱部46は、放熱体42の中心（中心軸ｚと一致）から放射状に配設される複数のフィン47、およびこれらフィン47の外側部を一体に接続するようにフィン47の周囲に設けられる略円筒状の周壁部48を備えている。
【００２６】
放熱部46の上面側中央域にはフィン47などが設けられない空間が形成され、この空間に光源側コネクタ44が配置されている。周壁部48の下端側（放熱部46の下面側周辺部）には、周壁部48（放熱部46）の外側と内側とを連通する図示しない通気孔が形成されている。
【００２７】
放熱部46の周壁部48には、ホルダ21の各係止部35に取り付けるための略Ｌ字形の一対の取付溝49が形成されている。取付溝49は、ホルダ21の係止部35が上下方向に挿通可能とする挿通溝部（着脱溝部）50、および挿通溝部50の下部側の周方向一側に設けられホルダ21の係止部35が周方向に移動可能とする取付溝部51を有している。
【００２８】
また、透光カバー43は、透光性を有し、円盤状に形成され、光源41を覆って放熱体42の前面側に配設されている。透光カバー43の周辺部には、指を引っ掛けて光源ユニット12を回動操作するための一対の指掛け部53が設けられている。
【００２９】
また、光源側コネクタ44は、雌型コネクタであり、コネクタホルダ55によって放熱体42の上部側に取り付けられている。光源側コネクタ44は、内部配線によって光源41と電気的に接続されている。
【００３０】
なお、光源ユニット12は、光源41の発光出力や発光色の違いに応じた複数種の種類を有する場合、その種類を電源ユニット13で判別できるようにして、種類毎に適切な点灯電源が電源部13から供給されるように構成されている。例えば、光源41から電源部13に種類に応じた信号が出力されるように構成されている。
【００３１】
次に、電源部13は、電源基板57、この電源基板57に実装された電源回路を構成する複数の電源部品58、および電源基板57に電気的に接続されたコード59、およびこのコード59の先端に設けられた電源側コネクタ60、を備えている。
【００３２】
電源部13（電源回路）は、商用交流電源を入力し、所定の直流電源に変換して光源41に出力する。このとき、電源回路は、例えば、光源ユニット12の光源41から種類に応じた信号を入力し、光源41の種類に応じた適切な直流電源を出力する。
【００３３】
電源基板57の一面57aに例えばリード線を有する電源部品58が実装配置され、他面57bに電源部品58が電気的に接続される配線パターンが設けられている。電源基板57の一面57aには、電源部品58のうちの電源基板57からの突出高さが高い大形部品58aが実装されている。電源基板57からの突出高さが高い大形部品58aには、リード線を有するディスクリート部品などが含まれている。また、電源基板57の他面57bには、電源部品58のうちの電源基板57からの突出高さが低い電源部品58bが実装されている。電源基板57からの突出高さが低い電源部品58bには、例えば抵抗などのチップ部品、ＩＣやスイッチング素子などの面実装部品が含まれている。ＩＣやスイッチング素子などは、電源部品58のうちの発熱量の大きい発熱部品である。
【００３４】
電源部13は、天板23とカバー24との間の収容部40に収容されている。電源部13の電源基板57は、天板23とカバー24のうちの天板23側に取り付けられている。すなわち、電源基板57は、カバー24側に取り付けられていない。電源基板57は、例えば、絶縁性を有する取付具などによって天板23に取り付けられている。電源部13と天板23およびカバー24との間には、絶縁シートを介在してもよい。
【００３５】
天板23側に取り付けられる電源基板57は、電源基板57からの突出高さが高い大形部品58aが実装されている一面57aが下方に向けられてカバー24の下面側に対向され、反対の他面57bが上方に向けられて天板23に対向されている。電源基板57は、天板23の天板部23aとカバー24の下面部との間で天板23の天板部23a側に寄った位置に配置され、すなわち、カバー24の下面部よりも天板23の天板部23aに近い位置に配置されている。そして、電源基板57の他面57bに実装された発熱部品が天板23の天板部23aに近い位置で対向されている。
【００３６】
電源基板57の入力側に端子台14が接続され、電源基板57の出力側にコード59が接続されている。
【００３７】
また、コード59は、電源基板57の出力側に電気的に接続され、本体25に対向する電源部13の端面から外部に引き出されている。コード59は、電源線および信号線等を含む複数の電線を有し、これら複数の電線が筒状のコードカバー内に挿通されることにより１本に纏められている。コードカバーは、例えば、絶縁性を有するとともに可撓性や柔軟性を有するゴムチューブや布チューブ等で構成されている。したがって、コード59は、複数の電線が１本に纏められているとともに曲げることが可能となっている。なお、コード59の長さは、電源側コネクタ60を本体25の下側に少し引き出して光源ユニット12の光源側コネクタ44に接続可能とする長さに設定されている。コード59の中間は、例えば結束バンドなどの保持具61によって天板23に保持されている。
【００３８】
また、図３および図４に示すように、コード59は、コード押えばね62によって本体25内で上方に付勢されている。コード押えばね62は、板ばねが用いられている。コード押えばね62の基端部がねじ63で天板23の下面に固定され、先端部が本体ユニット11内に位置されている。コード押えばね62の先端部にはコード59の中間部が例えば結束バンドなどの保持部64によって保持されている。
【００３９】
そして、コード押えばね62は、先端部側が本体ユニット11内で上方に回動し、コード59を上方に付勢する状態に、天板23に固定されている。
【００４０】
また、電源側コネクタ60は、雄型コネクタであり、コード59の先端に設けられている。電源側コネクタ60は、光源側コネクタ44に着脱可能に接続され、その接続状態で光源側コネクタ44に係止される。光源ユニット12の取外し時に、電源側コネクタ60と光源側コネクタ44との係止の解除操作を行うことにより、電源側コネクタ60から光源側コネクタ44を取り外すことが可能となっている。
【００４１】
次に、図１および図２に示すように、端子台14は、天板23の先端側の下面に取り付けられている。端子台14は、電源線が接続される電源用端子台14a、および信号線が接続される信号用端子台14bを備えている。端子台14は、電源部13に電気的に接続されている。
【００４２】
次に、照明装置10の設置について説明する。
【００４３】
まず、本体ユニット11を天井部材に設置する。
【００４４】
天井部材の埋込孔から引き出される電源線や信号線を、本体ユニット11に取り付けられている端子台14に接続する。
【００４５】
天板23の先端側を上方へ向けて天井部材の埋込孔に下方から挿入し、続いて、複数の取付ばね22を枠体20に沿って弾性変形するように押えるとともに、本体25の上部側が埋込孔に挿入されるように（本体25の上面側が上方に向くように）回動させながら、本体25を埋込孔に下方から挿入する。
【００４６】
複数の取付ばね22の押えを解き、本体25を埋込孔に挿入していくと、複数の取付ばね22がばね力によって側方に展開するとともに天井部材の上面側に係合し、複数の取付ばね22がばね力によって本体25を上方へ引き上げ、本体25の枠体20のフランジ部26が天井部材の下面に当接した状態で止まる。これにより、本体ユニット11の設置が完了する。
【００４７】
本体ユニット11の設置状態では、図３に示すように、コード59の中間部はコード押えばね62によって本体25の上部側に付勢され、コード59の先端側は本体25内に引き上げられている。なお、図３では、本体25の枠体20を省略しているが、コード59の先端側は本体25の枠体20内に引き上げられている。
【００４８】
続いて、光源ユニット12を本体ユニット11に装着する。
【００４９】
本体25内からコード59の先端側（電源側コネクタ60）を持って下方に引っ張る。これにより、図４に示すように、コード押えばね62は、下方に引っ張られるコード59とともに弾性変形し、コード59の先端側が本体25の下方に引き出される。
【００５０】
コード59の先端側の電源側コネクタ60を本体ユニット11の下方に引き出した状態で、電源側コネクタ60を光源ユニット12の光源側コネクタ44に接続する。
【００５１】
なお、コード59を下方に引っ張った際、コード59の基端側は保持具61で天板23に保持されているため、コード59の引っ張りは保持具61で規制され、コード59と電源部13との接続部分に負荷が加わるのを防止できる。
【００５２】
そして、本体25の枠体20の内側を下方から見て、ホルダ21の係止部35の各位置を確認し、光源ユニット12の取付溝49の挿通溝部50の各位置をホルダ21の係止部35の各位置に合わせて、光源ユニット12を本体25内に下方から挿入する。
【００５３】
光源ユニット12を本体25内に挿入していくと、光源ユニット12の挿通溝部50にホルダ21の係止部35が相対的に進入するとともに、光源ユニット12がホルダ21の内側に挿入される。
【００５４】
コード59は、本体25の下方で、電源側コネクタ60と光源ユニット12の光源側コネクタ44とを接続可能とする長さになっているため、光源ユニット12を本体25内に挿入していくと、コード59に余分な長さ部分が生じる。このとき、コード押えばね62の付勢によってコード59を上方に引き上げる。そのため、コード59が本体25と光源ユニット12との間に挟まりにくくできる。
【００５５】
また、光源ユニット12を本体25に挿入していくと、光源ユニット12の挿通溝部50の底面側がホルダ21の係止部35に当接し、光源ユニット12の挿入が止まる。光源ユニット12の挿入完了後、光源ユニット12を所定の装着方向（図５の右方向）に回動させることにより、光源ユニット12の取付溝部51がホルダ21の係止部35に移動し、光源ユニット12が本体ユニット11に装着される。
【００５６】
そして、電源部13の動作により、光源41に所定の直流電源を供給すると、光源41の発光素子が発光し、発光素子からの光が透光カバー43を通過して照明空間に照射される。
【００５７】
発光する光源41が発生する熱は、放熱体42に伝わり、この放熱体42の複数のフィン47および周壁部48等を含む放熱部46の全体から空気中に放熱される。
【００５８】
さらに、電源部13の動作時には各電源部品58が発熱し、その熱が電源基板57に伝わり、さらに、その熱が電源基板57および電源部品58から天板23とカバー24との間の収容部40内の空気中に放熱されて天板23やカバー24に伝わり、これら天板23やカバー24から外部の空気中に放熱される。
【００５９】
このとき、電源基板57が天板23に取り付けられ、カバー24よりも天板23に近い位置に配置されているため、電源部13が発生する熱が天板23に効率よく伝わる。さらに、電源基板57を天板23に取り付けている取付構造を通じて、電源部13が発生する熱が天板23に効率よく伝わる。
【００６０】
天板23は、照明装置10の最上部に位置し、上方への放熱の妨げとなるものがないため、放熱効果が最も高く、電源部13が発生する熱を効率よく放熱できる。そのため、天板23によって電源部13が発生する熱が効率よく放熱される。
【００６１】
さらに、天板23に対向する電源基板57の他面57bには発熱部品が実装されているため、この発熱部品から放出される輻射熱が天板23に伝わりやすく、発熱部品が発生する熱が効率よく放熱される。
【００６２】
また、光源ユニット12は、メンテナンス、寿命や故障による交換、光出力の変更に伴う交換等のために、本体ユニット11から外すことができる。
【００６３】
光源ユニット12を外すには、光源ユニット12を装着方向とは反対の取外し方向（図６の左方向）に回動させることにより、光源ユニット12の挿通溝部50を係止部35の位置に移動させ、光源ユニット12を下方に移動させる。
【００６４】
光源ユニット12を下方へ移動させると、光源側コネクタ44に電源側コネクタ60が接続されているコード59の先端側が下方に引っ張られる。このとき、コード押えばね62は、コード59とともに下方に回動するように弾性変形し、コード59の先端側が本体25の下方に引き出される。コード59の先端側の電源側コネクタ60を本体25の下方に引き出した状態で、電源側コネクタ60を光源ユニット12の光源側コネクタ44から外す。
【００６５】
そして、このように構成された本実施形態の照明装置10では、本体ユニット11の天板23とカバー24との間に収容される電源部13の電源基板57が、天板23とカバー24のうちの天板23側に取り付けられているため、電源部13が発生する熱を放熱効果の高い天板23側に効率よく伝え、電源部13の放熱性を向上できる。
【００６６】
さらに、電源基板57は、一面57aに電源部品58のうちの電源基板57からの突出高さが高い大形部品58aが実装されており、一面57aがカバー24に対向するとともに他面57bが天板23に対向して天板23側に取り付けられているため、電源基板57をカバー24よりも放熱効果の高い天板23側に近付けて配置でき、放熱性を向上できる。
【００６７】
また、コード押えばね62を備えているため、光源ユニット12を本体ユニット11に着脱する際には、コード押えばね62の付勢に抗してコード59の先端の電源側コネクタ60を本体25の下面側に引き出して光源ユニット12の光源側コネクタ44に接続でき、また、光源ユニット12を本体25内に挿入配置する際には、コード押えばね62に付勢によってコード59を本体25の上部側に引き上げ、光源ユニット12と本体25との間にコード59が挟み込まれるのを防止することができる。しかも、コード押えばね62は、板ばねで形成されているため、上下方向には動くが、板ばねの幅方向には動きにくく、コード59の横ずれを防止し、施工性を向上できる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
10    照明装置
11    本体ユニット
13    電源部
23    天板
24    カバー
25    本体
41    光源
57    電源基板
58    電源部品
58a   大形部品
【図１】
2020167125.tif 000003
【図２】
2020167125.tif 000004
【図３】
2020167125.tif 000005
【図４】
2020167125.tif 000006